(57)【要約】【課題】棚板のスライド時にもブラケットの支柱への取付状態が安定した棚装置を提供する。【解決手段】前面に係止孔２ａ，…を有する支柱２と、係止孔２ａ，…に上方側から係止可能なフック５２ｄを有するブラケット５２と、物品を載置可能な棚板５１と、棚板５１をブラケット５２に対してスライド可能に支持させるレール装置７と、を備えた棚装置１であって、レール装置７は、棚板５１を載置可能な可動レール８と、該可動レール８に対して相対移動可能な固定レール９とから少なくとも構成されており、固定レール９とブラケット５２とは、互いに上下方向の回動を許容されて係止する係止手段としての貫通孔５２ｂと、爪部９４とによって係止されており、固定レール９は、係止手段よりも手前側でブラケット５２に固定レール９の荷重を支持させる支持部９１ａを有している。【選択図】  図２
2020192250.tif 000002
【特許請求の範囲】
【請求項１】
前面に係止孔を有する支柱と、前記係止孔に上方側から係止可能なフックを有するブラケットと、物品を載置可能な棚板と、前記棚板を前記ブラケットに対してスライド可能に支持させるレール装置と、を備えた棚装置であって、
前記レール装置は、前記棚板を載置可能な可動側部材と、該可動側部材に対して相対移動可能な固定側部材とから少なくとも構成されており、
前記固定側部材と前記ブラケットとは、相対的に上下方向の回動を許容されて係止する係止手段によって係止されており、
前記固定側部材は、前記係止手段よりも手前側に前記ブラケットに前記固定側部材の荷重を支持させる支持部を有していることを特徴とする棚装置。
【請求項２】
前記ブラケットに形成された貫通孔が前記係止手段の一部を構成していることを特徴とする請求項１に記載の棚装置。
【請求項３】
前記レール装置の外面を切り起こして形成された爪部が前記係止手段の一部を構成していることを特徴とする請求項１または２に記載の棚装置。
【請求項４】
前記爪部は、前記ブラケットに形成された貫通孔に対して内面側から外面側へ挿通され、折り返されて前記ブラケットの外側面に当接されていることを特徴とする請求項１ないし３のいずれかに記載の棚装置。
【請求項５】
前記支持部は、前記ブラケットの内面側から外面側に向けて折り返されて垂下する垂下片を有しており、前記垂下片が前記ブラケットの上面と外面にそれぞれ沿って延出されていることを特徴とする請求項１ないし４のいずれかに記載の棚装置。
【請求項６】
前記支持部は、前記ブラケットの上縁に形成された切欠き部に載置されることを特徴とする請求項１ないし５のいずれかに記載の棚装置。
【請求項７】
前記固定側部材は、前記一対のレール装置を連結する連結杆を有しており、前記可動側部材には、前記連結杆に形成されている溝部に係合させることで前記固定側部材と前記可動側部材との相対移動を規制させる係合片が配設されていることを特徴とする請求項１ないし６のいずれかに記載の棚装置。
【発明の詳細な説明】
【技術分野】
【０００１】
本発明は、レール装置によってスライド可能な棚を有する棚装置に関する。
【０００２】
棚装置は、前面に係止孔が複数形成された支柱と、係止孔に前方から挿入し下方に向けて移動させることで係止させるフックが配設された左右一対のブラケットと、一対のブラケット上に載置される棚板とを備え、該棚板の上に商品を陳列できるようになっている。また、支柱の上下方向に亘って複数の係止孔が形成されていることから、ブラケットのフックを係止させる位置を適宜選択することができ、任意の高さに棚板を設置できるようになっている。
【０００３】
コンビニエンスストアやスーパーマーケットにおいては、棚板の陳列部に陳列されている古い商品を手前側に出す前出し作業や、陳列部に陳列されている古い商品の後方側に新しい商品を補充する補充作業がある。棚板がレール装置によって手前側へスライド可能になっているスライド棚が配設されている棚装置であると、棚板の後方側にアクセスしやすく、頻繁に行われるこのような作業が簡便となる。
【０００４】
このようなスライド棚が配設されている棚装置の一例として、既存の棚装置にスライドレールを取り付けることによりスライド棚とした棚装置がある。例えば、特許文献１に示されるショーケースのスライド棚装置は、棚板を載置可能な可動側部材と複数の貫通孔が形成された固定側部材からなるスライドレールを備えており、固定側部材に形成された貫通孔にボルト・ナットを挿通させブラケットに対し螺合させ固定させている。
【先行技術文献】
【特許文献】
【０００５】
【特許文献１】特開平８−６６２７８号公報（第２頁、第２図）
【発明の概要】
【発明が解決しようとする課題】
【０００６】
しかしながら、特許文献１の棚装置にあっては、ブラケットに対してスライドレールの固定側部材の前後方向における複数箇所を固定しているため、棚板に下方側から上方側への力が加わると、棚板に固定された可動側部材と一体的に接続されている固定側部材とブラケットを下方側から上方側に引き上げてしまうことから、ブラケットのフックと支柱の係合孔との係合状態が解除されてしまい、棚板や陳列されている商品が落下してしまう虞があった。
【０００７】
本発明は、このような問題点に着目してなされたもので、棚板のスライド時にもブラケットの支柱への取付状態が安定した棚装置を提供することを目的とする。
【課題を解決するための手段】
【０００８】
前記課題を解決するために、本発明の棚装置は、
前面に係止孔を有する支柱と、前記係止孔に上方側から係止可能なフックを有するブラケットと、物品を載置可能な棚板と、前記棚板を前記ブラケットに対してスライド可能に支持させるレール装置と、を備えた棚装置であって、
前記レール装置は、前記棚板を載置可能な可動側部材と、該可動側部材に対して相対移動可能な固定側部材とから少なくとも構成されており、
前記固定側部材と前記ブラケットとは、相対的に上下方向の回動を許容されて係止する係止手段によって係止されており、
前記固定側部材は、前記係止手段よりも手前側に前記ブラケットに前記固定側部材の荷重を支持させる支持部を有していることを特徴としている。
この特徴によれば、可動側部材に載置されている棚板に下方側から上方側への力が加わっても、ブラケットに対して固定側部材は上下方向への回動を許容されて係止手段により係止されているとともに、固定側部材の支持部がブラケットの前方側で支持されているので、固定側部材が係止手段を起点として上方側へ可動することを許容されることとなり、ブラケットは下方側から上方側への力を受け難いので、ブラケットのフックと支柱の係合孔との係合状態は解除され難い。
【０００９】
前記ブラケットに形成された貫通孔が前記係止手段の一部を構成していることを特徴としている。
この特徴によると、ブラケットに形成された貫通孔に対して固定側部材を係止するので、固定側部材をブラケットに対して回動させることができる。
【００１０】
前記レール装置の外面を切り起こして形成された爪部が前記係止手段の一部を構成していることを特徴としている。
この特徴によると、係止手段としてのブラケットに形成された貫通孔と、レール装置の外面を切り起こして形成された爪部を利用するため、別部材を必要とせず、簡便である。
【００１１】
前記爪部は、前記ブラケットに形成された貫通孔に対して内面側から外面側へ挿通され、折り返されて前記ブラケットの外側面に当接されていることを特徴としている。
この特徴によると、係合状態を確認し易く、取付易い。
【００１２】
前記支持部は、前記ブラケットの内面側から外面側に向けて折り返されて垂下する垂下片を有しており、前記垂下片が前記ブラケットの上面と外面にそれぞれ沿って延出されていることを特徴としている。
この特徴によれば、垂下片がブラケットの上面と外面にそれぞれ沿うことで固定側部材の左右方向の移動が規制されるため、固定側部材のブラケットからの脱落を防止させるようになっている。
【００１３】
前記支持部は、前記ブラケットの上縁に形成された切欠き部に載置されることを特徴としている。
この特徴によれば、支持部が切欠き部によって前後方向の移動が規制されるため、固定側部材のブラケットからの脱落を防止させるようになっている。
【００１４】
前記固定側部材は、前記一対のレール装置を連結する連結杆を有しており、前記可動側部材には、前記連結杆に形成されている溝部に係合させることで前記固定側部材と前記可動側部材との相対移動を規制させる係合片が配設されていることを特徴としている。
この特徴によれば、連結杆に形成されている溝部に係合片を係合させることで、棚板の不意の滑り出しを防止させることができる。
【図面の簡単な説明】
【００１５】
【図１】本発明の実施例における棚装置の構造を示す斜視図である。
【図２】棚部の構成を示す分解斜視図である。
【図３】（ａ）は可動側部材を棚装置における内方側から見た斜視図であり、（ｂ）は可動側部材を棚装置における外方側から見た斜視図である。
【図４】（ａ）は固定側部材を棚装置における内方側から見た斜視図であり、（ｂ）は固定側部材を棚装置における外方側から見た斜視図である。
【図５】（ａ）は、連結杆の上面図であり、（ｂ）は、連結杆の断面図である。
【図６】（ａ）は、固定側部材とブラケットを係止手段により係止させた状態を示し、（ｂ）は、ブラケットに形成されている切欠き部に固定側部材の支持部を支持させた状態を示す。
【図７】（ａ）は、連結杆に係合片を接近させる態様を示し、（ｂ）は、連結杆に形成されている溝部に係合片の係合部を嵌入させる態様を示す。
【図８】（ａ）は、連結杆をクランク片に固定させ、溝部に係合部を嵌入させた態様を示し、（ｂ）は、連結杆の前後を反転させてクランク片に固定させ、溝部に係合部を嵌入させた態様を示す。
【発明を実施するための形態】
【００１６】
本発明に係る棚装置を実施するための形態を実施例に基づいて以下に説明する。
【実施例】
【００１７】
実施例に係る棚装置につき、図１から図８を参照して説明する。以下、棚装置の棚部側を正面側とし、正面側からみて左右側を棚装置の左右として説明する。
【００１８】
本実施例の棚装置１は、スーパーマーケットやコンビニエンスストア等で商品を陳列する商品陳列棚である。尚、棚装置１は、商品陳列棚に限られず、倉庫などで物品を収納する物品収納棚として利用してもよい。
【００１９】
図１に示されるように、左右に離間する一対の支柱２，２と、支柱２，２の上端部と下端部との対向面同士を連結している横連結杆３，３と、支柱２，２と横連結杆３，３とで構成された矩形状の枠内に固定される背面パネル４と、支柱２，２の前面に支持された上下複数段の棚部５，５，…と、から主に構成されており、各棚部５の上面には物品が陳列可能となっている。支柱２，２は、脚部６，６を有して自立可能となっているとともに、前面には、上下方向に左右２列に並ぶ多数の係合孔２ａ，２ａ，…が設けられている。尚、後に詳述するが、棚部５を構成する棚板５１は、同じく棚部５を構成するブラケット５２上を前後にスライド移動可能となっている。
【００２０】
図２に示されるように、棚部５は、支柱２，２の前面に取付けられる左右一対のブラケット５２，５２と、ブラケット５２，５２にそれぞれ取り付けられるレール装置７，７と、レール装置７，７の上部に載置される棚板５１と、から主に構成されている。
【００２１】
次に、ブラケット５２の構造を図２に基づいて説明する。尚、ここでは、右側のブラケット５２を説明し、略同一形状である左側のブラケット５２の説明を省略する。
【００２２】
図２に示されるように、ブラケット５２は、金属製の板状部材から構成され、前後方向に延びる板状の本体部５２ａと、本体部５２ａの後端側かつ上方側に形成されている貫通孔５２ｂと、本体部５２ａにおける上端の前方側に形成されている切欠き部５２ｃと、本体部５２ａの後端に設けられる下向き鉤状のフック５２ｄ，５２ｄ，…と、から主に構成されている。
【００２３】
次に、レール装置７，７の構造を図２，３に基づいて説明する。尚、ここでは、紙面右側のレール装置７を説明し、略同一形状である左側のレール装置７の説明を省略する。
【００２４】
図２に示されるように、レール装置７は、金属製の板状部材を折り曲げ加工及び溶接加工により成形されており、主に可動レール８（可動側部材）と、固定レール９（固定側部材）と、連結杆１０と、から構成されている。また、レール装置７，７は、連結杆１０と係合可能な係合片１１，１１を備えている。
【００２５】
図３（ａ），（ｂ）を用いて可動レール８を詳しく説明する。図３（ａ），（ｂ）に示されるように可動レール８は、前後方向に延出され断面視略コ字状の基体８０と、基体８０の上面板８０ａにおける前後方向両端部及び略中央部から上方へ延出され水平に折り曲げられた棚板支持片８１ａ，８１ｂ，８１ｃと、基体８０の開口部８０ｂ内に配設されるストッパー８２と、ストッパー８２の外方側端部に形成されている貫通孔８２ａに挿通されナット８３ａによって固定される回転可能なローラ８３と、から主に構成されている。
【００２６】
可動レール８の開口部８０ｂ内には、後述する固定レール９の備えるローラ９２が前後移動可能に接続されるようになっており、可動レール８の内側から上方に延びる内側片８０ｃと外側板８０ｄがローラ９２の左右方向の移動を規制するようになっている。また、可動レール８は、開口部８０ｂ内にローラ９２を接続させた後、外側板８０ｄに形成されている孔部８０ｅに抜け止め部材８０ｆを取付け、該抜け止め部材８０ｆとストッパー８２とで、開口部８０ｂ内におけるローラ９２の前後方向の位置規制をするとともに脱落を防止させるようになっている。
【００２７】
また、棚板支持片８１ｃの鉛直面には切欠かれて形成された爪Ｔと、棚板支持片８１ｃと基体８０の上面板８０ａの境目には前後方向に延びるスリットＳが形成されている。スリットＳに係合片１１の取付部１１ａを挿入させた後、取付部１１ａを挿入させた方向に爪Ｔを起こすことで、スリットＳを起点として係合片１１の上面板８０ａから上方への揺動を可能としつつ、係合片１１の可動レール８からの脱落を防止することができるようになっている。
【００２８】
図４（ａ），（ｂ）を用いて固定レール９を詳しく説明する。図４（ａ），（ｂ）に示されるように固定レール９は、前後方向に延出され断面視略コ字状の基体９０と、基体９０の上面板９０ａにおける略端部に溶着され基体９０を上方から跨ぐように配設される断面視略コ字状の支持片９１と、支持片９１の内側板９１ｂに形成されている貫通孔９１ｄに挿通されナット９２ａによって固定される回転可能なローラ９２と、基体９０から一体的に延びる底片９０ｅがクランク状に内側に向けて延出されたクランク片９３と、基体９０の外側板９０ｂを切欠いて、上面視略Ｌ字状に棚装置１における後方側へ向けて立ち上げた爪部９４と、から主に構成されている。
【００２９】
支持片９１は、基体９０の外側板９０ｂ側に垂下する支持部９１ａが配設されており、支持部９１ａは外側板９０ｂと離間し略平行に配設されている。
【００３０】
基体９０に形成されている開口部９０ｄには、可動レール８のローラ８３が前後移動可能に接続されるようになっており、固定レール９の内側から上方、下方に延びる内側片９０ｃ，９０ｃと外側板９０ｂとが、ローラ８３の左右方向の移動を規制するようになっている。
【００３１】
クランク片９３には、貫通孔９３ａ，９３ａが形成されており、ボルト・ナット等を用いて後述する連結杆１０が取り付け可能になっている。
【００３２】
図５（ａ），（ｂ）を用いて連結杆１０を詳しく説明する。連結杆１０は、薄い鋼材を折り曲げ加工して成形されており、断面視略コ字状を成している。連結杆１０は、底面板１０ｃと側壁板１０ｄ，１０ｄにより構成され、底面板１０ｃには、左右端部近傍かつ連結杆１０の前後方向における中心位置よりもどちらか一方側に偏って孔部１０ａ，１０ａと、孔部１０ｂ，１０ｂがそれぞれ形成されている。また、側壁板１０ｄ，１０ｄは、底面板１０ｃから鋭角（例えば４５度）にそれぞれ折り曲げられている。
【００３３】
後述するが、クランク片９３に接続させる連結杆１０の前後方向を入れ替えて係止させることにより、固定レール９と可動レール８との相対位置を調整できるようにおり、可動レール８に載置される棚板５１の前後方向の係止位置を変更できるようになっている。
【００３４】
図６（ａ），（ｂ）を用いてブラケット５２にレール装置７を取り付ける態様を説明する。図６（ａ）に示されるように、まず、先述した可動レール８と、固定レール９とを、互いに相対移動可能に接続させる。次に、可動レール８の備える棚板支持片８１ａ，８１ｂ，８１ｃに、棚板５１を載置させる。棚板５１の底面部には、棚板支持片８１ａ，８１ｂ，８１ｃに係合可能な図示しない係合部が形成されており、係合させることにより棚板５１は可動レール８に固定されるようになっている。
【００３５】
次に、固定レール９が備える爪部９４を、ブラケット５２に形成されている貫通孔５２ｂに挿通させる。このとき、相対的に爪部９４を貫通孔５２ｂ内における後方側（フック５２ｄ側）まで移動させ係合させることにより、貫通孔５２ｂの周縁に沿って爪部９４が回動可能になっている。
【００３６】
図６（ｂ）に示されるように、ブラケット５２の貫通孔５２ｂから切欠き部５２ｃまでの長さＬ１と、固定レール９の爪部８４から支持部９１ａまでの長さＬ２は、略同寸（Ｌ１＝Ｌ２）となっていることから、先述した図６（ａ）の係合状態から図６（ｂ）に示されるように、レール装置７を下方へ回動させることで、固定レール９が備える支持片９１が、ブラケット５２の切欠き部５２ｃに嵌入するようになっている。尚、支持片９１と切欠き部５２ｃの嵌入状態は緩嵌状態となっている。
【００３７】
支持片９１の上面板９１ｃをブラケット５２の切欠き部５２ｃに上方から嵌入させることで、固定レール９はブラケット５２に支持されるようになっている。また、固定レール９は前方で基体９０の外側板９０ｂと、固定レール９が備える支持部９１ａとによってブラケット５２を挟持するとともに、後方で爪部９４と貫通孔５２ｂとで係合されることから、固定レール９はブラケット５２に対して左右方向の移動が規制されるようになっている。
【００３８】
図７（ａ），（ｂ）及び、図８（ａ），（ｂ）を用いて連結杆１０に係合片１１を係止させる態様を説明する。尚、係合片１１は、棚部５におけるレール装置７，７にそれぞれ取り付けられているが、同一形状のため一方のみ説明する。図７（ａ）に示されるように、まず、可動レール８を後方にスライドさせ係合片１１を、固定レール９に取り付けられた連結杆１０に接近させる。
【００３９】
係合片１１の係合部１１ｂは、連結杆１０の底面板１０ｃと、側壁板１０ｄ，１０ｄから形成される溝部Ａの間口よりも幅狭となっている。係合片１１は、スリットＳ（図３参照）を起点として図７（ｂ）に示されるように上方への揺動が可能となっている。尚、係合部１１ｂと連結杆１０の溝部Ａとの嵌入状態は、緩嵌状態となっている。
【００４０】
図８（ａ），（ｂ）を用いて、係合片１１の備える係合部１１ｂと、連結杆１０の係合位置を変更させることで、棚板５１の突出代を調整する態様を説明する。
【００４１】
図８（ａ）は、連結杆１０の孔部１０ａ，１０ａと、孔部１０ｂ，１０ｂを棚装置１の手前側に位置するようにクランク片９３に取り付けた態様を示している。連結杆１０の孔部１０ａ，１０ａと、孔部１０ｂ，１０ｂは、連結杆１０の前後方向における中心位置よりも一端側に偏って形成されているので、クランク片９３に対して連結杆１０が、棚装置１の後方寄りに係合片１１の係合部１１ｂによって係止されることから、棚板５１が後方寄りの位置で固定されることとなる。
【００４２】
図８（ｂ）は、図８（ａ）に示した連結杆１０の取り付け態様から、連結杆１０の前後を反転させてクランク片９３に取り付けた態様を示している。連結杆１０の孔部１０ａ，１０ａと、孔部１０ｂ，１０ｂは、連結杆１０の前後方向における中心位置より一端側に偏って形成されているので、クランク片９３に対して連結杆１０が、棚装置１の手前側に係合片１１の係合部１１ｂによって係止されることから、棚板５１が先述した図８（ａ）の位置よりも手前側の位置で固定されることとなる。
【００４３】
このように、前面に係合孔２ａ，…を有する支柱２と、係合孔２ａ，…に上方側から係止可能なフック５２ｄを有するブラケット５２と、物品を載置可能な棚板５１と、棚板５１をブラケット５２に対してスライド可能に支持させるレール装置７と、を備えた棚装置１であって、レール装置７は、棚板５１を載置可能な可動レール８と、該可動レール８に対して相対移動可能な固定レール９とから少なくとも構成されており、固定レール９とブラケット５２とは、互いに上下方向の回動を許容されて係止する係止手段としての貫通孔５２ｂと、爪部９４とによって係止されており、固定レール９は、係止手段よりも手前側でブラケット５２に固定レール９の荷重を支持させる支持部９１ａを有していることから、可動レール８に載置されている棚板５１に下方側から上方側への力が加わっても、ブラケット５２に対して固定レール９は上下方向への回動を許容されて係止手段としての貫通孔５２ｂと、爪部９４とによって係止されているとともに、固定レール９の支持部９１ａがブラケット５２の前方側で支持されているので、固定レール９が係止手段を起点として上方側へ可動することを許容されることとなり、ブラケット５２は下方側から上方側への力を受け難いので、ブラケット５２のフック５２ｄと支柱２の係合孔２ａとの係合状態を解除させ難い。
【００４４】
また、ブラケット５２に形成された貫通孔５２ｂが係止手段の一部を構成していることから、ブラケット５２に形成された貫通孔５２ｂに対して固定レール９を係止するので、固定レール９をブラケット５２に対して回動させることができる。
【００４５】
また、レール装置７の外面を切り起こして形成された爪部９４が一部を構成していることから、ブラケット５２に形成された貫通孔５２ｂと、レール装置７の外面を切り起こして形成された爪部９４を利用するため、別部材を必要とせず、簡便である。
【００４６】
また、爪部９４は、ブラケット５２に形成された貫通孔５２ｂに対して内面側から外面側へ挿通され、折り返されてブラケット５２の外側面に当接されることから、係合状態を確認し易く、取付易い。
【００４７】
また、支持部９１ａは、ブラケット５２の内面側から外面側に向けて折り返されて垂下する支持片９１を有しており、支持片９１がブラケット５２の上面と外面にそれぞれ沿って延出されていることから、支持片９１がブラケット５２の上面と外面にそれぞれ沿うことで左右方向の移動が規制されるため、固定レール９の脱落を防止させるようになっている。
【００４８】
また、支持部９１ａは、ブラケット５２の上縁に形成された切欠き部５２ｃに載置されることから、支持部９１ａが切欠き部５２ｃによって前後方向の移動が規制されるため、固定レール９の脱落を防止させるようになっている。
【００４９】
また、固定レール９には、一対のレール装置７，７を連結させる連結杆１０が配設されており、可動レール８には、連結杆１０に形成されている溝部Ａに係合させることで固定レール９と可動レール８との相対移動を規制させる係合片１１が配設されていることから、連結杆１０に形成されている溝部Ａに係合片１１を係合させることで、棚板５１の不意の滑り出しを防止させることができる。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
例えば、前記実施例では、係止手段を貫通孔５２ｂと爪部９４とによる係合によって、ブラケット５２に対して固定レール９が上下方向への回動を許容されるようになっていたが、この限りではなく、ブラケット５２に対して固定レール９が上下方向への回動を許容されれば、ボルト・ナットによる螺合や、一対のフックによる係合としてもよい。
【００５２】
例えば、前記実施例では、固定レール９の支持片９１が備える板状の支持部９１ａをブラケット５２の溝部Ａに支持させていたが、この限りではなく、固定レール９から突出させた棒状の支持部をブラケットに支持させてもよい。
【００５３】
また、ブラケット５２の溝部Ａは、固定レール９の支持片９１が備える支持部９１ａが緩嵌合する形状と説明したがこの限りではなく、支持部９１ａがブラケット５２に支持させることができれば溝部Ａの形状は問わず、溝部自体を設けなくともよい。
【符号の説明】
【００５４】
１              棚装置
２              支柱
３              横連結杆
４              背面パネル
５              棚部
６              脚部
７              レール装置
８              可動レール（可動側部材）
９              固定レール（固定側部材）
１０            連結杆
１１            係合片
１１ｂ          係合部
５１            棚板
５２            ブラケット
５２ａ          垂直部
５２ｂ          貫通孔（係止手段）
５２ｃ          切欠き部
５２ｄ          フック
８４            爪部
９１            垂下片
９１ａ          支持部
９３            クランク片
９４            爪部（係止手段）
Ａ              溝部
【図１】
2020192250.tif 000003
【図２】
2020192250.tif 000004
【図３】
2020192250.tif 000005
【図４】
2020192250.tif 000006
【図５】
2020192250.tif 000007
【図６】
2020192250.tif 000008
【図７】
2020192250.tif 000009
【図８】
2020192250.tif 000010